(57)【要約】  ロッド様の物品（３）またはロッド様の物品の群を軸方向にセンタリングするための方法および装置（１Ａ、１Ｂ、１Ｃ、１Ｄ、１Ｅ）であって、ここで、ロッド様の物品（３）またはロッド様の物品の群が、ドラムコンベヤー（５）の周辺に位置する縦溝（４）内を搬送され、さらに、連続的な縦溝（４）内のロッド様の物品（３）またはロッド様の物品の群が同一または変動する長さを持ち、装置（１Ａ、１Ｂ、１Ｃ、１Ｄ、１Ｅ）には、縦溝（４）内でのロッド様の物品（３）または物品の群の位置を変更するために、ロッド様の物品（３）またはロッド様の物品の群に軸方向に作用するシフト機構のプッシャー要素（１０、１３、２０、２３、３０、３３、４０、４３）が備わっており、特徴として、結合されたプッシャー要素（１０、１３、２０、２３、３０、３３、４０、４３）がそれぞれ反対方向のスイング動作をし、さらに、プッシャー要素（１０、１３、２０、２３、３０、３３、４０、４３）がロッド様の物品（３）またはロッド様の物品の群に軸方向に作用するように適合された接触表面（１０Ａ、１３Ａ、２０Ａ、２３Ａ、３０Ａ、３３Ａ、４０Ａ、４３Ａ）を持ち、プッシャー要素（１０、１３、２０、２３、３０、３３、４０、４３）の接触表面（１０Ａ、１３Ａ、２０Ａ、２３Ａ、３０Ａ、３３Ａ、４０Ａ、４３Ａ）がロッド様の物品の移動方向（Ｔ）に収束的に位置付けられており、ロッド様の物品（３）またはロッド様の物品の群の中心が主に共通の平面（Ｓ、ＳＬ、ＳＲ）内に位置付けられるように、少なくとも１つのプッシャー要素（１０、１３、２０、２３、３０、３３、４０、４３）が、ドラムコンベヤー（５）上を搬送されるロッド様の物品（３、３Ｌ、３Ｒ）またはロッド様の物品の群にプッシャー要素が軸方向に作用するのを可能にする位置にプッシャー要素（１０、１３、２０、２３、３０、３３、４０、４３）を位置付ける動的要素（６、２６、３７、４７）と接続されている。【選択図】図２
2018538215.tif 000002
【特許請求の範囲】
【請求項１】
ロッド様の物品（３）またはロッド様の物品の群を軸方向にセンタリングするための装置（１Ａ、１Ｂ、１Ｃ、１Ｄ、１Ｅ）であって、
前記ロッド様の物品（３）または前記ロッド様の物品の群がドラムコンベヤー（５）の周辺に位置する縦溝（４）内を搬送され、さらに、
前記連続的な縦溝（４）内の前記ロッド様の物品（３）または前記ロッド様の物品の群が同一または変動する長さを持ち、
前記縦溝（４）内での前記ロッド様の物品（３）または前記物品の群の位置を変更するために、前記装置（１Ａ、１Ｂ、１Ｃ、１Ｄ、１Ｅ）には、前記ロッド様の物品（３）または前記ロッド様の物品の群に軸方向に作用するシフト機構のプッシャー要素（１０、１３、２０、２３、３０、３３、４０、４３）が備わっており、
特徴として、
前記結合されたプッシャー要素（１０、１３、２０、２３、３０、３３、４０、４３）がそれぞれ反対方向のスイング動作をし、さらに、
前記プッシャー要素（１０、１３、２０、２３、３０、３３、４０、４３）が前記ロッド様の物品（３）または前記ロッド様の物品の群に軸方向に作用するように適合された接触表面（１０Ａ、１３Ａ、２０Ａ、２３Ａ、３０Ａ、３３Ａ、４０Ａ、４３Ａ）を持ち、前記プッシャー要素（１０、１３、２０、２３、３０、３３、４０、４３）の前記接触表面（１０Ａ、１３Ａ、２０Ａ、２３Ａ、３０Ａ、３３Ａ、４０Ａ、４３Ａ）が前記ロッド様の物品の移動方向（Ｔ）に収束的に位置付けられており、
前記ロッド様の物品（３）または前記ロッド様の物品の群の中心が主に共通の平面（Ｓ、ＳＬ、ＳＲ）内に位置付けられるように、少なくとも１つのプッシャー要素（１０、１３、２０、２３、３０、３３、４０、４３）が、前記ドラムコンベヤー（５）上を搬送される前記ロッド様の物品（３、３Ｌ、３Ｒ）または前記ロッド様の物品の群にプッシャー要素が軸方向に作用するのを可能にする位置に前記プッシャー要素（１０、１３、２０、２３、３０、３３、４０、４３）を位置付ける動的要素（６、２６、３７、４７）に接続されている、装置。
【請求項２】
前記プッシャー要素（１０、１３、２０、２３、３０、３３、４０、４３）が歯車セクター（１６、１７）によって結合されることを特徴とする、請求項１に記載の装置。
【請求項３】
前記プッシャー要素（１０、１３、２０、２３、３０、３３、４０、４３）がレバーカップリング（３８）によって結合されることを特徴とする、請求項１に記載の装置。
【請求項４】
前記プッシャー要素（１０、１３、２０、２３、３０、３３、４０、４３）が動的要素（２６）によって結合されることを特徴とする、請求項１に記載の装置。
【請求項５】
前記プッシャー要素（１０、１３、２０、２３、３０、３３、４０、４３）の前記接触表面（１０Ａ、１３Ａ、２０Ａ、２３Ａ、３０Ａ、３３Ａ、４０Ａ、４３Ａ）が前記ロッド様の物品（３、３Ｌ、３Ｒ）の端部に向けてシフトされるように前記動的要素が構成されることを特徴とする、請求項１に記載の装置。
【請求項６】
前記プッシャー要素（１０、１３、２０、２３、３０、３３、４０、４３）が０．５度〜６度の範囲でスイング動作をすることを特徴とする、請求項１に記載の装置。
【請求項７】
前記動的要素が、ばね（６、２６）、空気圧要素（３７）および磁石（４７）を含む群から選択される要素であることを特徴とする、請求項１に記載の装置。
【請求項８】
前記ロッド様の物品（３）または前記ロッド様の物品の群が、前記接触表面（１０Ａ、１３Ａ、２０Ａ、２３Ａ、３０Ａ、３３Ａ、４０Ａ、４３Ａ）と接触する前に暫定的に位置付けられるように構成された前記ドラムコンベヤー（５）の２つの側上に位置する不動のガイド（２８、２９）をさらに備えることを特徴とする、請求項１に記載の装置。
【請求項９】
前記ロッド様の物品（３）または前記ロッド様の物品の群を、それらの中心が共通の平面（Ｓ、ＳＬ、ＳＲ）上に配置された後で切断するように位置するロータリーナイフ（５１、５４）をさらに備えることを特徴とする、請求項１に記載の装置。
【請求項１０】
前記ロッド様の物品（３）または前記ロッド様の物品の群を切断するように備えられた前記ロータリーナイフ（５１、５４）が前記プッシャー要素（１０、１３、２０、２３、３０、３３、４０、４３）の後ろに位置することを特徴とする、請求項１に記載の装置。
【請求項１１】
前記たばこ産業のロッド様の物品を切断するための多段階ユニットであって、
ロッド様の物品（３）またはロッド様の物品の群が、ドラムコンベヤー（５）の周辺に位置する縦溝（４）内を搬送され、かつロータリーナイフ（５１、５４）によって切断され、さらに、
前記連続的な縦溝（４）内の前記ロッド様の物品（３）または前記ロッド様の物品の群が同一または変動する長さを持ち、
特徴として、
前記ロッド様の物品（３）または前記ロッド様の物品の群が前記センタリング平面（Ｓ）内で２つの部分（ＳＬ、ＳＲ）または群（左および右）に切断され、前記第一のセンタリング装置（１Ａ、１Ｂ、１Ｃ、１Ｄ）および前記第一のロータリーナイフ（５１、５４）が第一段階のユニット（Ｃ１）を形成するように、前記第一のロータリーナイフ（５１、５４）と結合する、請求項１〜１０のいずれか１項に記載の第一のセンタリング装置（１Ａ、１Ｂ、１Ｃ、１Ｄ）と、
前記ドラムコンベヤー（５）の周辺に位置する前記縦溝（４）内を搬送される前記切断されたロッド様の物品（３）またはロッド様の物品の群の前記部分、左（３Ｌ）または右（３Ｒ）のうちそれぞれ少なくとも１つをセンタリングするように、前記第一のセンタリング装置（１Ａ、１Ｂ、１Ｃ、１Ｄ）の後ろに配置された請求項１〜１０のいずれか１項に記載の少なくとも１つの第二のセンタリング装置（１Ａ、１Ｂ、１Ｃ、１Ｄ、１Ｅ）とを備え、
前記第二のセンタリング装置（１Ａ、１Ｂ、１Ｃ、１Ｄ、１Ｅ）が前記第二のロータリーナイフ（５１、５４）とそれぞれ結合し、このロータリーナイフが、ロッド様の物品の部分または群の前記センタリング平面（ＳＬ、ＳＲ）内でそれぞれ前記ロッド様の物品（３Ｌ、３Ｒ）を切断し、また前記第二のセンタリング装置（１Ａ、１Ｂ、１Ｃ、１Ｄ、１Ｅ）および前記第二のロータリーナイフ（５１、５４）が第二段階のユニット（Ｃ２）を形成する、ユニット。
【請求項１２】
前記ロッド様の物品の搬送方向（Ｔ）に見て前記第一段階のユニット（Ｃ１）の下に配置された少なくとも２つの第二段階のユニット（Ｃ２）が前記第一段階のユニット（Ｃ１）に割り当てられることを特徴とする、請求項１１に記載のユニット。
【請求項１３】
前記第一段階のユニット（Ｃ１）が、前記ロッド様の物品（３）の前記搬送方向（Ｔ）に見て前記第一段階のユニット（Ｃ１）の前記ロータリーナイフ（５１）の後ろに配置される前記ドラムコンベヤー（５）の周辺に位置する前記縦溝（４）内を搬送される前記ロッド様の物品（３）または前記ロッド様の物品の群の前記切断された部分（３Ｌ、３Ｒ）に間隔を空けるスペーシングモジュール（５２）を備えることを特徴とする、請求項１１に記載のユニット。
【請求項１４】
前記ロータリーナイフ（５４）が前記ロッド様の物品（３）または前記ロッド様の物品の群の前記切断された部分（３Ｌ、３Ｒ）に間隔を空けるように備えられた表面を持つことを特徴とする、請求項１２または１３に記載のユニット。
【請求項１５】
ロッド様の物品（３）またはロッド様の物品の群を軸方向にセンタリングする方法であって、
前記ロッド様の物品（３）または前記ロッド様の物品の群がドラムコンベヤー（５）の周辺に位置する縦溝（４）内を搬送され、さらに、
前記連続的な縦溝（４）内の前記ロッド様の物品（３）または前記ロッド様の物品の群が同一または変動する長さを持ち、
前記縦溝（４）内での前記ロッド様の物品（３）または前記物品の群の位置を変更するために、シフト機構のプッシャー要素（１０、１３、２０、２３、３０、３３、４０、４３）が前記ロッド様の物品（３）または前記ロッド様の物品の群に軸方向に作用し、
特徴として、
前記結合されたプッシャー要素（１０、１３、２０、２３、３０、３３、４０、４３）がそれぞれ反対方向のスイング動作をし、また前記プッシャー要素（１０、１３、２０、２３、３０、３３、４０、４３）の収束的に位置付けられた接触表面（１０Ａ、１３Ａ、２０Ａ、２３Ａ、３０Ａ、３３Ａ、４０Ａ、４３Ａ）が前記ロッド様の物品（３）または前記ロッド様の物品の群に軸方向に作用し、
前記ドラムコンベヤー（５）上を搬送される前記ロッド様の物品（３）または前記ロッド様の物品の群に軸方向にプッシャー要素が作用するのを可能にする位置に前記プッシャー要素（１０、１３、２０、２３、３０、３３、４０、４３）を位置付ける動的要素（６、２６、３７、４７）と接続された少なくとも１つのプッシャー要素（１０、１３、２０、２３、３０、３３、４０、４３）によって、前記ロッド様の物品（３）または前記ロッド様の物品の群の中心が主に共通の平面（Ｓ）内に位置付けられる、方法。
【発明の詳細な説明】
【技術分野】
【０００１】
本発明の目的は、ロッド様の物品またはロッド様の物品の群を軸方向にセンタリングするための装置および方法ならびにロッド様の物品またはロッド様の物品の群を切断するための多段階ユニットである。本発明の目的は、たばこ産業機械においてドラムコンベヤーの縦溝内を搬送されるロッド様の物品およびロッド様の物品の群に使用される。
【背景技術】
【０００２】
コンベヤーの回転軸に平行に位置する複数の縦溝が周囲に備えられた、ロッド様の物品を横方向に搬送するためのドラムコンベヤーが、たばこ産業において一般に使用されている。ロッド様の物品とは、フィルターセグメントを含有するマルチセグメントフィルターロッド、フィルターセグメントおよび物品の芳香を変化させるもしくは物品に芳香を与える追加的な構成要素を含有するマルチセグメントフィルターロッド、フィルターセグメントおよび使用されるフィルター材料のフィルター特性を修正する追加的な物質を含有するマルチセグメントフィルターロッド、フィルターおよび非フィルターセグメントの両方を含有するマルチセグメントロッド、たばこ含有量を減らしたマルチセグメント物品、マウスピースのない紙巻たばこ、ならびに単一セグメントまたはマルチセグメントのマウスピースを取り付けた紙巻たばこを含む、単一の種類のフィルター材料で製造されたフィルターロッド、たばこ産業の任意のロッド様の製品および半製品であると理解される。ドラムの縦溝の中で運ぶ間、ロッド様の物品は縦溝の中に作成された穴によって供給される陰圧によって縦溝の中に保持され、一方で１つの縦溝の中で１つのまたは複数のロッド様の物品に運ぶことが可能である。製造プロセスのために、ドラムコンベヤーの回転動作の間に、ドラム自体および機械の他のユニットの前表面に関して個別の物品の繰り返し可能な位置を得られるように、ロッド様の物品をドラムコンベヤーの縦溝に沿って軸方向にシフトする必要がある。物品は、数ある中でもロッド様の物品を切断するために提供されるロータリーナイフ（複数可）の平面に関してロッド様の物品の繰り返し可能な位置を達成するようにシフトされる。フィルターロッドの形態での、またはフィルターとたばこロッドが包装材料によって結合した形態の物品群の形態での運ばれた物品の切断は、紙巻たばこのフィルターおよびたばこ部分の製造ならびに結合のために機械上で行われる。
【０００３】
たばこ産業において、ドラムコンベヤーの縦溝の中のロッド様の物品のシフトのための装置は、先行技術から周知である。例えば、ロッド様の物品の群をセンタリングするための装置はドイツ特許公報第ＤＥ１００８１７３号から周知であり、こうした物品群は、１つのフィルター部分および２つのたばこ部分から成る。各々の部分は、ある一定の長さの許容差を有して作成されるため、各々の群はわずかに異なる合計長さ（個別の物品の長さの和である）を有する場合がある。装置は２つのセンタリング用のリングが備えられ、また最大合計長さを有する群の正しいセンタリングのために設計され、フィルターとたばこ部分を結合するチッピングペーパーの中に包装されてから運ばれた群を切断することによって形成されることになる２つ部分の長さの違いが明らかである他の群ではセンタリングされないことになる。米国特許第ＵＳ３，３４３，６７６号は、物品群を単一のプッシャーによってシフトするための装置を記述し、この場合、物品群は、物品群の端部のうちの１つの平面に関して配置される。物品群の反対側の端部は、その物品群の合計長さに応じて配置される。特許ＵＳ３，０３６，５８１号は、ロッド様の物品の群をセンタリングするためのセンタリング装置を示し、従来の解決策と同様に群は一つの側にシフトされ、この結果、物品群の中央の要素の切断が一様ではない。上述の装置の各々では、すべての物品群を２つの同じ長さの部分へと切断することができない。
【発明の概要】
【０００４】
本発明の目的は、ドラムコンベヤー上のロッド様の物品の軸に対して横方向に搬送される物品をセンタリングするためのセンタリング装置を開発することであり、これは搬送されるすべての物品をその長さと無関係にセンタリングすること（すなわち、ロッド様の物品またはロッド様の物品の幾何学的中心が一つの平面内に位置するように位置付けること）を可能にする。
【０００５】
本発明の目的は、ロッド様の物品またはロッド様の物品の群の軸のセンタリングのための装置であり、ロッド様の物品またはロッド様の物品の群はドラムコンベヤーの周囲に位置する縦溝内を搬送され、またドラムコンベヤーの連続した縦溝内のロッド様の物品またはロッド様の物品の群の長さは同じでも変化してもよく、さらに装置には、ロッド様の物品またはロッド様の物品の群に軸方向に作用して縦溝内のロッド様の物品またはロッド様の物品の群の位置を変化させるシフト機構のプッシャー要素が備えられる。本発明による装置は、結合されたプッシャー要素がそれぞれ反対方向のスイング動作をし、さらに、プッシャー要素がロッド様の物品またはロッド様の物品の群に軸方向に作用するように適合された接触表面を持ち、プッシャー要素の接触表面が物品の移動方向に収束的に位置付けられており、ロッド様の物品またはロッド様の物品の群の中心が主に共通の平面内に位置付けられるように、ドラムコンベヤー上を搬送されるロッド様の物品またはロッド様の物品の群にプッシャー要素が軸方向に作用するのを可能にする位置にプッシャー要素を位置付ける動的要素に少なくとも１つのプッシャー要素が接続されていることを特徴とする。
【０００６】
本発明による装置は、プッシャー要素が歯車セクターによって結合されていることを特徴とする。
【０００７】
本発明による装置は、プッシャー要素がレバーカップリングによって結合されていることを特徴とする。
【０００８】
本発明による装置は、プッシャー要素が動的要素によって結合されていることを特徴とする。
【０００９】
本発明による装置は、プッシャー要素の接触表面がロッド様の物品の端部に向けてシフトするように動的要素が構成されていることを特徴とする。
【００１０】
本発明による装置は、プッシャー要素が０．５度〜６度の範囲のスイング動作をすることを特徴とする。
【００１１】
本発明による装置は、動的要素が、ばね、空気圧要素および磁石を含む群から選択される要素であることを特徴とする。
【００１２】
本発明による装置は、不動のガイドをさらに含み、不動のガイドがドラムコンベヤーの２つの側に位置し、かつロッド様の物品またはロッド様の物品の群が接触表面と接触する前に暫定的に位置付けられるように構成されていることを特徴とする。
【００１３】
本発明による装置は、ロッド様の物品またはロッド様の物品の群を、それらの中心が共通の平面内に位置付けられた後で切断するように位置するロータリーナイフをさらに含むことを特徴とする。
【００１４】
本発明による装置は、ロッド様の物品またはロッド様の物品の群を切断するために備えられたロータリーナイフがプッシャー要素の後ろに位置することを特徴とする。
【００１５】
その上、本発明の目的は、たばこ産業のロッド様の物品を切断するための多段階ユニットであり、ここで、ロッド様の物品またはロッド様の物品の群は、ドラムコンベヤーの周辺に位置する縦溝内を搬送され、ロータリーナイフによって切断され、さらに、連続的な縦溝内のロッド様の物品またはロッド様の物品の群は、同一または変動する長さを持つ。本発明によるユニットは、ロッド様の物品またはロッド様の物品の群がセンタリング平面内で２つの部分または群（左および右）に切断されるように、第一のロータリーナイフと結合する、本発明による第一のセンタリング装置が提供され、第一のセンタリング装置および第一のロータリーナイフが第一段階のユニットを形成し、本発明による少なくとも１つの第二のセンタリング装置が、ドラムコンベヤーの周辺上に位置する縦溝内を搬送される切断されたロッド様の物品またはロッド様の物品の群の部分または群（左または右）のうちそれぞれ少なくとも１つをセンタリングするように、第一のセンタリング装置の後ろに配置され、また第二のセンタリング装置が第二のロータリーナイフとそれぞれ結合し、ロッド様の物品をそれぞれこうした部分または群のセンタリング平面内で切断し、また第二のセンタリング装置および第二のロータリーナイフが第二段階のユニットを形成することを特徴とする。
【００１６】
本発明によるユニットは、ロッド様の物品の搬送方向に見て第一段階のユニットの下に配置された少なくとも２つの第二段階のユニットが第一段階のユニットに割り当てられることを特徴とする。
【００１７】
本発明によるユニットは、第一段階のユニットが、ロッド様の物品の搬送方向に見て第一段階のユニットのロータリーナイフの後ろに配置されたドラムコンベヤーの周辺に位置する縦溝内を搬送されるロッド様の物品またはロッド様の物品の群の切断された部分に間隔を空けるスペーシングモジュールを備えることを特徴とする。
【００１８】
本発明によるユニットは、ロータリーナイフがロッド様の物品またはロッド様の物品の群の切断された部分に間隔を空けるように備えられた表面を持つことを特徴とする。
【００１９】
本発明の目的はまた、ロッド様の物品またはロッド様の物品の群を軸方向にセンタリングする方法でもあり、ここで、ロッド様の物品またはロッド様の物品の群は、ドラムコンベヤーの周辺に位置する縦溝内を搬送され、さらに、連続的な縦溝内のロッド様の物品またはロッド様の物品の群は同一または変動する長さを持ち、シフト機構のプッシャー要素は、縦溝内でのロッド様の物品またはロッド様の物品の群の位置を変化させるように、ロッド様の物品またはロッド様の物品の群に軸方向に作用する。本発明による方法は、結合されたプッシャー要素がそれぞれ反対方向のスイング動作をし、およびプッシャー要素の収束的に位置付けられた接触表面がロッド様の物品またはロッド様の物品の群に軸方向に作用し、ドラムコンベヤー上を搬送されるロッド様の物品またはロッド様の物品の群にプッシャー要素が軸方向に作用するのを可能にする位置にプッシャー要素を位置付ける動的要素に接続された少なくとも１つのプッシャー要素によって、ロッド様の物品またはロッド様の物品の群の中心が主に共通の平面内に位置付けられることを特徴とする。
【００２０】
本発明によるロッド様の物品を切断するためのセンタリング装置および多段階ユニットは、搬送されるロッド様の物品およびロッド様の物品の群の効果的なセンタリングと、物品の丁寧な取り扱いを兼ね備える。
【００２１】
本発明の目的は、図面の実施形態に概略的に図示されている。
【図面の簡単な説明】
【００２２】
【図１】図１は、ドラムコンベヤーの軸の方向に見たドラムコンベヤーおよびセンタリング装置を含む機械の断片を示す。
【図２】図２は、第一の実施形態のセンタリング装置の図およびドラムコンベヤーの横方向平面の展開図を示す。
【図３】図３は、第二の実施形態のセンタリング装置の図およびドラムコンベヤーの横方向平面の展開図を示す。
【図４】図４は、第三の実施形態のセンタリング装置の図およびドラムコンベヤーの横方向平面の展開図を示す。
【図５】図５は、第四の実施形態のセンタリング装置の図およびドラムコンベヤーの横方向平面の展開図を示す。
【図６】図６は、第一の実施形態のロッド様の物品を切断するための多段階ユニットの図およびドラムコンベヤーの横方向平面の展開図を示す。
【図７】図７は、第二の実施形態のロッド様の物品を切断するための多段階ユニットの図およびドラムコンベヤーの横方向平面の展開図を示す。
【図８】図８は、第三の実施形態のロッド様の物品を切断するための多段階ユニットの図およびドラムコンベヤーの横方向平面の展開図を示す。
【図９】図９は、第三の実施形態のロッド様の物品を切断するための多段階ユニットをドラムコンベヤーの軸の方向に見た図を示す。
【図１０】図１０は、ロッド様の物品の群を示す。
【図１１】図１１は、ロッド様の物品の別の群を示す。
【図１２】図１２は、ロッド様の物品の分割の例を示す。
【図１３】図１３は、ロッド様の物品の別の分割の例を示す。
【発明を実施するための形態】
【００２３】
本発明によるセンタリング装置１は、たばこ産業機械でのドラムコンベヤー用に使用されうる。図１は、回転軸Ｘの周りを回転するように適合されたドラム５を含むドラムコンベヤー２を示す。ドラム５は、その周辺上に、ロッド様の物品３をロッド様の物品３の軸に対して横方向に搬送するために備えられた複数の縦溝４を持ち、縦溝４はドラム５の回転軸Ｘに平行に位置する。ロッド様の物品３は、縦溝４の底に開けられた孔を通して供給される負の圧力によって縦溝４内に保持される。縦溝４内でロッド様の物品３を軸方向にセンタリングするためのセンタリング装置１は、ドラム５の上に位置し、センタリング装置はドラム５の周りで任意の位置を取りうる。
【００２４】
図２に図示した第一の実施形態のセンタリング装置１Ａには、機械本体に取り付けられたピボット１２および１５に取り付けられたスイングアーム１１および１４にそれぞれ接続された２つのプッシャー要素１０および１３が備えられる。スイングアーム１１および１４は、軸ＺおよびＹの周りでスイング動作をしうる。アーム１１および１４は、アーム１１および１４がそれぞれ反対方向のスイング動作をするように、歯車セクター１６および１７によって相互に結合される（ロッド様の物品３の端部に向けた接触表面１０Ａおよび１３Ａの移動に対応する方向は、図１に矢印で示されている）。機械本体に取り付けられ、かつプッシャー要素１０および１３それぞれの接触表面１０Ａおよび１３Ａによる、ロッド様の物品３の端部に対する押圧を引き起こすばね６の形態の動的要素は、アーム１４に取り付けられたフックに作用し、接触表面１０Ａおよび１３Ａは、ロッド様の物品の搬送方向Ｔの移動ために収束的に位置する。接触表面１０Ａおよび１３Ａは対称平面Ｓに対して対称に位置し、そうした接触面のそれぞれは角度αで偏っている。
【００２５】
ロッド様の物品３は、物品の製造工程で許容可能な許容範囲内で変化する長さを持ちうる。物品３をドラム５の縦溝４内に配置した後、縦溝４内を搬送される物品の幾何学的中心は１つの平面内に位置しない。ドラム５の横方向平面７および８に対するロッド様の物品３の端部の結果的な位置は、例として寸法ｄ１およびｄ２で説明した。搬送方向Ｔでのロータリードラム５の移動中、それぞれのロッド様の物品３の端部は、収束的に位置付けられた接触表面１０Ａおよび１３Ａと接触するようになる。ばね６に起因する力はアーム１１および１４に作用し、プッシャー要素１０および１３によって接触表面１０Ａおよび１３Ａを通してロッド様の物品３に伝達され、これがロッド様の物品３のセンタリングにつながり、すなわち、物品の実際の長さとは無関係に、個別の物品の幾何学的中心が１つの平面Ｓ内に位置するようになる。センタリングの結果、ドラム５の横方向平面７および８までのロッド様の物品３の端部の距離は両方の端部の値ｄに等しくなり、端部は物品の長さの半分に等しい寸法ｅによって対称平面Ｓから等距離になる。平面Ｓに対する、およびロッド様の物品３の変化する長さに対する物品の中心の初期的な位置はランダムであるため、プッシャー要素１０および１３は異なる度合いでスイングし、かつ０．５度〜６度の範囲でスイング動作をし、長めの物品について、およびドラム縦溝内でより非対称的に配置されている物品については、接触表面１０Ａおよび１３Ａはより大きな力でロッド様の物品に作用する。
【００２６】
第二の実施形態の図３に示したセンタリング装置１Ｂには、プッシャー要素２０および２３が備えられ、そのそれぞれはロッド様の物品３の端部に作用する凹面の接触表面２０Ａおよび２３Ａを持つ。プッシャー要素２０および２３は、自動位置合わせされ、かつピボット２２および２５に取り付けられているスイングアーム２１および２４に取り付けられる。スイングアーム２１および２４は、アーム２１および２４に対するその位置が保持要素２７によって固定されている弾性要素２６によって相互に機械的に結合される。金属プレートまたはワイヤーの形態の弾性要素２６の形態の動的要素は、それぞれ反対方向のスイング動作をすることを確実にするアーム２１および２４の結合以外にも、この弾性要素２６の曲げがロッド様の物品３の端部に作用する押圧力を増大させることになるため、ロッド様の物品３の端部に対する接触表面２０Ａおよび２３Ａの押圧を確実にする。この実施形態において、センタリング装置にはさらに、ドラムコンベヤー２の２つの側に位置し、かつ接触表面２０Ａおよび２３Ａと接触する前に、ロッド様の物品３またはロッド様の物品の群がコンベヤードラム５の縦溝４内に暫定的に位置付けられるように構成された、２つの不動のガイド２８および２９が備えられる。
【００２７】
第三の実施形態の図４に図示したセンタリング装置１Ｃには、プッシャー要素３０および３３が備えられ、そのそれぞれは凸面の接触表面３０Ａおよび３３Ａを持つ。接触表面３０Ａおよび３３Ａは、ロッド様の物品３の移動方向Ｔに収束する。プッシャー要素３０および３３は、自動位置合わせされ、かつピボット３２および３５に取り付けられているスイングアーム３１および３４に取り付けられる。スイングアーム３１および３４は、鎖３６によって相互に機械的に結合される。連接ジョイントによって接続されたスイングアーム３１および３４、および鎖３６は、それぞれ反対方向のスイング動作をすることを確実にするレバー機構３８を形成する。ロッド様の物品３の端部に対する接触表面３０Ａおよび３３Ａの押圧は、ピストンロッドが鎖３６に取り付けられた空気式アクチュエータ３７によって確保される。この場合、ロッド様の物品３に作用する力は主に一定のレベルに維持されうる。
【００２８】
第四の実施形態の図５に図示したセンタリング装置１Ｄには、回転するプッシングローラー４５および４６が取り付けられたプッシャー要素４０および４３が備えられる。方向Ｔでのロッド様の物品３の移動中、方向Ｔに対して収束的に位置付けられた周辺の接触表面４５Ａおよび４６Ａの対応する部分は、ロッド様の物品を対称平面Ｓに対して対称的に位置付けるためにロッド様の物品の端部を押す。プッシャー要素４０および４３は、自動位置合わせされ、かつピボット４２および４５に取り付けられているスイングアーム４１および４４に取り付けられる。スイングアームは、アーム４１および４４の端部に位置する歯車セクターによって相互に結合される。スイングアーム４４に取り付けられた要素４６には、磁石４７の形態の動的要素が作用するが、その役目はロッド様の物品の端部の方向へのプッシングローラー４５および４６の移動を強制することである。
【００２９】
図６は、たばこ産業機械のドラムコンベヤー上で使用されるロッド様の物品を切断するための多段階ユニットを示す。この実施形態において、切断は２つの段階、すなわち２つのユニットで発生する。多段階の切断ユニットの第一段階のユニットＣ１は、センタリング装置１Ａおよびロータリーナイフ５１を備える。多段階の切断ユニットの第二段階のユニットＣ２は、装置１Ａと類似して設計された少なくとも１つのセンタリング装置１Ｅおよび少なくとも１つのロータリーナイフ５１を備える。センタリング装置１Ｅは、その寸法がロッド様の物品３の長さの半分に適合される。ロッド様の物品を切断するための多段階ユニットは、上述した他のセンタリング装置から成ってもよい。図６に示す多段階ユニットは、ロッド様の物品３を４つの部分に切断するために提供されており、第一段階のユニットＣ１では、ロッド様の物品３は平面Ｓに対してセンタリングされ、２つの部分（左の部分３Ｌおよび右の部分３Ｒ）に切断される。左の部分３Ｌは平面ＳＬに対してセンタリングされ、２つの部分（左の部分３ＬＬおよび右の部分３ＬＲ）に切断される。右の部分３Ｒは平面ＳＲに対してセンタリングされ、２つの部分（左の部分３ＲＬおよび右の部分３ＲＲ）に切断される。ロッド様の物品３はドラムコンベヤー２の移動中、平面Ｓに対してセンタリングされ、ロータリーナイフ５１によって切断され、形成された部分３Ｌおよび３Ｒは、例えばスペーシングウェッジ５２の形態のスペーシング手段を使用して間隔が空けられる。同様に、第二段階のユニットでは、部分３Ｌは平面ＳＬに対してセンタリングされ、ロータリーナイフ５１によって切断され、形成された部分３ＬＬおよび３ＬＲは、スペーシングウェッジ５２によって間隔が空けられうる。部分３Ｒは、平面ＳＲに対してセンタリングされ、ロータリーナイフ５１によって切断され、形成された部分３ＲＬおよび３ＲＲは、スペーシングウェッジ５２によって間隔が空けられうる。切断中に形成される部分は、例えば、負の圧力によってその部分を保持する周知のスライド可能なセグメントの形態のその他の周知のスペーシング手段を使用して間隔が空けられうる。図示した実施形態において、部分３Ｌおよび３Ｒは、１つのドラムコンベヤー５上で切断される。ロッド様の物品を切断するための類似した設計の多段階ユニットを図７に示しており、スペーシング手段は、ロータリーナイフの中央部分の厚い部分でロータリーナイフ５４に組み込まれている。こうした厚い部分は、平坦なロータリーナイフに取り付けられた円錐ローラー５５として設計されうるが、ローラー５５の円錐角度は、切断された部分のスペーシングを促進する鈍角である。
【００３０】
図８および９に示す通り、別個のコンベヤードラム上に多段階の切断ユニットを設計することが可能である。第一の切断段階は、センタリング装置１Ａによってドラム５Ａ上で遂行される。ロータリーナイフ５１によってロッド様の物品３を２つの部分３Ｌおよび３Ｒに切断した後、第二の切断段階では、部分３Ｌがドラム５Ａ上に残り、センタリング装置１ＥＬによってセンタリングされる。部分３Ｌをナイフ５１で切断した結果として形成される部分３ＬＬおよび３ＬＲは、ドラム５Ｄに運ばれる。部分３Ｒはドラム５Ａからドラム５Ｂに運ばれ、第二の切断段階でセンタリング装置１ＥＲによってセンタリングされる。部分３Ｒをナイフ５１で切断した結果として形成される部分３ＲＬおよび３ＲＲは、ドラム５Ｃに運ばれる。
【００３１】
図１０および１１は、本発明によるセンタリング装置によってセンタリングでき、本発明による多段階の切断ユニットによって切断できるロッド様の物品の群を示す。
【００３２】
図１２は、ロッド様の物品３の分割の例を示す。こうした分割を遂行するために備えられたユニットは３つの段階を持つ。指定６１は、８つの部分に切断されたロッド様の物品を示す。
【００３３】
ロッド様の物品のセンタリングによって、ドラムの縦溝内のロッド様の物品の繰り返し可能な状況が確保される。センタリングの後、物品は任意の数の部分に切断されうる。図１３は、ロッド様の物品３の５つの部分への分割を示し、指定６２は５つの部分に切断されたロッド様の物品を示し、こうした分割を遂行するために備えられたユニットは２つの段階を持ち、第一段階では２つのロータリーナイフが使用される。
【図１】
2018538215.tif 000003
【図２】
2018538215.tif 000004
【図３】
2018538215.tif 000005
【図４】
2018538215.tif 000006
【図５】
2018538215.tif 000007
【図６】
2018538215.tif 000008
【図７】
2018538215.tif 000009
【図８】
2018538215.tif 000010
【図９】
2018538215.tif 000011
【図１０】
2018538215.tif 000012
【図１１】
2018538215.tif 000013
【図１２】
2018538215.tif 000014
【図１３】
2018538215.tif 000015
【国際調査報告】
2018538215.tif 000016
2018538215.tif 000017